(57)【特許請求の範囲】
【請求項１】
液体を加熱する加熱容器と、水道管から前記加熱容器への給水経路に設けられ前記加熱容器への給水を制御する給水弁と、前記加熱容器内の液体を出湯パイプに吐出するポンプと、前記給水弁と前記ポンプとを制御して、前記加熱容器内への注水から排水を複数回繰り返すすすぎ洗浄工程を自動で行うすすぎ洗浄手段とを備えてなる給湯装置。
【請求項２】
すすぎ洗浄手段は、加熱容器内の高温の液体を排出する場合も含めて、すべてのすすぎ洗浄工程を自動で行う請求項１に記載の給湯装置。
【請求項３】
すすぎ洗浄手段を、電源投入時に動作させる、開始時すすぎ手段を備えてなる請求項１または２に記載の給湯装置。
【請求項４】
電源投入時、加熱容器内の水温が所定の温度より高い場合、開始時すすぎ手段を停止させるすすぎ停止手段を備えてなる請求項３に記載の給湯装置。
【請求項５】
加熱容器内に、所定の時間給水されない状態が続いたとき、すすぎ洗浄手段を動作させる無給水すすぎ手段を備えてなる請求項１〜４のいずれか１項に記載の給湯装置。
【発明の詳細な説明】
【０００１】
【発明の属する技術分野】
本発明は、一般家庭におけるキッチンシステムへ組み込んで使用するビルトインタイプの給湯装置に関するものである。
【０００２】
【従来の技術】
従来のジャーポット等の湯沸かし器は、加熱容器内のすすぎ洗浄を行う場合、使用者が加熱容器内に水を注いですすぎを行い、その後、容器内の液体を捨てるという作業を行っていた。
【０００３】
【発明が解決しようとする課題】
しかしながら、上記従来のような方法は、使用者が加熱容器内に水を注いで、すすぎを行って排水という行為を繰り返すため、手間がかかり、使用者の負担にもなるという課題を有していた。
【０００４】
本発明は、上記従来の課題を解決するもので、すすぎ洗浄工程を自動化することで、手軽に加熱容器内のすすぎ洗浄が行える、衛生的で使い勝手の良いビルトインタイプの給湯装置を提供することを目的とする。
【０００５】
【課題を解決するための手段】
上記目的を達成するために本発明の給湯装置は、加熱容器内への注水から排水までのすすぎ洗浄工程を自動で行うすすぎ洗浄手段を設けたものである。
【０００６】
このすすぎ洗浄手段により、すすぎ洗浄工程が自動で行なうことができ、注水や排水の作業が省かれ、手軽にすすぎ洗浄を行うことができる。
【０００７】
【発明の実施の形態】
請求項１に記載の発明は、液体を加熱する加熱容器と、水道管から前記加熱容器への給水経路に設けられ前記加熱容器への給水を制御する給水弁と、前記加熱容器内の液体を出湯パイプに吐出するポンプと、前記給水弁と前記ポンプとを制御して、前記加熱容器内への注水から排水を複数回繰り返すすすぎ洗浄工程を自動で行うすすぎ洗浄手段とを備えてなる給湯装置としたことにより、使用者がすすぎ洗浄を行う際の、注水や排水の作業が自動化により省かれ、手軽にすすぎ洗浄を行うことができ、加熱容器を清潔に保つことができる。
【０００８】
請求項２に記載の発明は、特に、請求項１に記載のすすぎ洗浄手段を、加熱容器内の高温の液体を排出する場合も含めて、すべてのすすぎ洗浄工程を自動で行なえる給湯装置とすることで、キッチンシステムがしばらく無人で、加熱容器内の高温の液体を自動排出しても危険が無い時など、より手軽にすすぎ洗浄を行うことができる。
【０００９】
請求項３に記載の発明は、請求項１または２に記載のすすぎ洗浄手段を、電源投入時に動作させる開始時すすぎ手段を備えることにより、電源投入時に加熱容器内に古くなった水が残っていたとしても、自動的にすすぎ洗浄が始まるので、間違って加熱容器内の古い水を使用することもなく、加熱容器のすすぎ洗浄もでき、より衛生的で使い勝手の良い給湯装置を提供することができる。
【００１０】
請求項４に記載の発明は、電源投入時、加熱容器内の水温が所定の温度より高い場合には、請求項３に記載の開始時すすぎ手段を停止させるすすぎ停止手段を備えることにより、電源投入時に水温が高く衛生的にも心配ない場合には、すすぎ洗浄を行わないので、余分な電力を消費することもなく衛生的な給湯装置を提供することができる。
【００１１】
請求項５に記載の発明は、加熱容器内に、所定の時間給水されない状態が続いたとき、請求項１〜４に記載のすすぎ洗浄手段を動作させる無給水すすぎ手段を備えることにより、長時間、加熱容器内の水が更新されず、古くなると、自動的にすすぎ洗浄が始まるので、古くなった加熱容器内の水を使ってしまうこともなく、手軽に加熱容器を清潔に保つことができる。
【００１２】
【実施例】
以下本発明の実施例について、図面を参照しながら説明する。
【００１３】
（実施例１）
図１は本発明の第１の実施例における給湯装置を示すものである。図において、１は家庭内に設置されたキッチンユニットを示し、その内部空間に浄水加熱ユニット２を設置している。３は水道管であり、キッチンユニット１のキッチンシンク１２に臨んだ水道口４と、水道水中の不純物を除去する中空子膜や活性炭からなる浄水手段５とに接続している。水道管３と浄水手段５との給水路には、浄水手段５への給水を制御する給水弁６を設けている。浄水手段５を通過した水道水は、水を加熱するヒーター７を有する加熱容器８へ給水経路９を介して注がれる。また加熱容器８には、加熱容器内の水温を検知する温度検知手段であるサーミスタ１０と、加熱容器８内の水位を、電極間の電位が水の有無によって変わることから検知する水位検知手段１１を設けている。
【００１４】
そして、給水経路９上には、浄水手段５を通過した水をキッチンシンク１２に吐出する浄水パイプ１３か、給水経路９のどちらかに切替えて導く切替弁１４が設けてある。１５は加熱容器８から生じた蒸気を逃がす蒸気パイプ、１６は加熱容器８内の湯を出湯パイプ１７に吐出するポンプである。上記した浄水パイプ１３、蒸気パイプ１５、及び出湯パイプ１７は、水道口４と同様、キッチンシンク１２に臨んで配置されている。１８は出湯や浄水の吐出及び各種状態を知らせる操作表示部で、キッチンユニット１の上部の操作部１ａに設けてある。１９はすすぎ洗浄手段であり、給水弁６と、水位検知手段１１と、切替弁１４と、ポンプ１６と接続しており、水位検知手段１１からの水位の信号に応じて、給水弁６と、切替弁１４と、ポンプ１６を制御して、加熱容器８内への注水から排水までのすすぎ洗浄工程を自動で行うものである。
【００１５】
図２は上記操作表示部１８の詳細を示しており、１８ａはＯＮになると切替弁１４を浄水パイプ１３側に切り換えると共に、給水弁６を開いて浄水した水を浄水パイプ１３から吐出する浄水ＳＷ、１８ｂは浄水した水が吐出されていることを点灯して表すＬＥＤで構成された浄水ＬＥＤ、１８ｃはＯＮになると切替弁１４を加熱容器８、出湯パイプ１７側に切り換えるとともにポンプ１６を駆動して加熱容器８内の湯を出湯パイプ１７から出湯する出湯ＳＷ、１８ｄはＯＮになると出湯ＳＷ１８ｃの操作を可能とするロック解除ＳＷ、１８ｅはロック解除ＳＷ１８ｄがＯＮになると点灯してロック解除ＳＷ１８ｄの状態を表すロック解除ＬＥＤ、１８ｆは加熱容器８のすすぎ洗浄を開始するすすぎ洗浄ＳＷで、すすぎ洗浄手段１９を制御するものである。
【００１６】
以上のように構成された給湯装置についてその動作を説明する。給湯装置の加熱容器８内の水温はサーミスタ１０によって検知され、水温が８５度以下になるとヒーター７をＯＮして高温状態を維持している。また、出湯ＳＷ１８ｃをＯＮして出湯することにより水位が下がると、水位検知手段１１が下がったことを検知して、切替弁１４が加熱容器８側に切替るとともに、給水弁６を開いて加熱容器８内に給水する。そして水位検知手段１１が水位の満水状態を検知すると、給水弁６を閉じて給水を止める。このように加熱容器８内には、常に高温の湯が満水状態にあり、常時、出湯できる状態に保たれる。
【００１７】
次にすすぎ洗浄手段１９の動きについて図３を用いて説明する。すすぎ洗浄ＳＷ１８ｆをＯＮすると、すすぎ洗浄工程をスタートして、ステップ１で出湯ＳＷ１８ｃがＯＮ状態になるまで待つ。ＯＮ状態になるとステップ２に移行してポンプ１６を駆動して加熱容器８内の高温の湯を出湯パイプ１７から吐出する。ステップ３では、水位検知手段１１によって加熱容器８内の水位が０になったどうか判断する。まだ加熱容器８内にお湯が残っているならＮＯとなり、ステップ１に戻って出湯ＳＷ１８ｃによって出湯操作を続ける。反対に水位が０になると加熱容器８内が空になったのでＹＥＳとなってステップ４に移行する。ステップ４では、すすぎ洗浄手段１９は切替弁１４を加熱容器８側に切り替えて、給水弁６を開いて加熱容器８への給水を開始し、水位検知手段１１が満水を検知するまで給水工程を継続する。満水を検知するとステップ５に移行して給水弁６を閉じるとともに、ポンプ１６を駆動して、満水になった加熱容器８内の水を出湯パイプ１７から吐出して、水位検知手段１１が水位０を検知して加熱容器８内の水が無くなるまで排水工程を継続する。加熱容器８内に水が無くなるとステップ６に移行する。ステップ６ではステップ４、５を３回繰り返したかどうか判断する。もし３回未満ならＮＯとなりもう一度ステップ４の給水工程に戻る。反対に３回繰り返したなら加熱容器８内に給水、排水を自動で行ってすすぎ洗浄をすることができたので終了する。
【００１８】
以上のように本実施例によれば、すすぎ洗浄手段１９を設けることにより、注意を要する加熱容器８内の高温のお湯を排出する場合（通常の給湯時）以外は、加熱容器８内への給水と、給水した水の排出を自動で、複数回繰り返すことができるので、手軽にすすぎ洗浄を行うことができる。
【００１９】
なお、本実施例において給水と排水の連続繰り返しの回数を３回としたが、増減して、効果および工程時間を調節しても何ら問題ない。また、本実施例において加熱容器８内に給水した水をすぐ排水したが、時間をおいて排水しても何ら問題ない。また、本実施例において給水した水を排水しただけであったが、給水した水を加熱して排水を行い、すすぎ洗浄の効果を上げても何ら問題ない。
【００２０】
（実施例２）
以下、本発明の第２の実施例について図４を参照しながら説明する。なお、本実施例の全体構成については実施例１と同一であり同じ符号を付し説明を省略する。
【００２１】
本実施例のすすぎ洗浄手段１９の動きは、すすぎ洗浄ＳＷ１８ｆがＯＮすると、すすぎ洗浄工程をスタートして、ステップ７でポンプ１６を駆動して、満水状態である加熱容器８内の高温の湯を出湯パイプ１７から吐出して、水位検知手段１１が水位０を検知して加熱容器８内の湯が無くなるまで全出湯する。加熱容器８内のお湯が無くなるとステップ４に移行する。ステップ４では、すすぎ洗浄１９は切替弁１４を加熱容器８側に切り替えて、給水弁６を開いて加熱容器８への給水を開始し、水位検知手段１１が満水を検知するまで給水工程を継続する。満水を検知するとステップ５に移行して給水弁６を閉じるとともに、ポンプ１６を駆動して、満水になった加熱容器８内の水を出湯パイプ１７から吐出して、水位検知手段１１が水位０を検知して加熱容器８内の水が無くなるまで排水工程を継続する。加熱容器８内に水が無くなるとステップ６に移行する。ステップ６ではステップ４、５を３回繰り返したかどうか判断する。もし３回未満ならＮＯとなりもう一度ステップ４の給水工程に戻る。反対に３回繰り返したなら加熱容器８内に給水、排水を自動で行ってすすぎ洗浄することができたので、終了する。
【００２２】
以上のように本実施例によれば、すすぎ洗浄手段１９を設けることにより、加熱容器８内の高温の湯を排出して捨てることから、加熱容器８内への給水と、給水した水の排出を全自動で、複数回繰り返すことができるので、より手軽にすすぎ洗浄を行うことができる。
【００２３】
なお、本実施例において給水と排水の連続繰り返しの回数を３回としたが、増減して、効果および工程時間を調節しても何ら問題ない。また、本実施例において加熱容器８内に給水した水をすぐ排水したが、時間をおいて排水しても何ら問題ない。また、本実施例において給水した水を排水しただけであったが、給水した水を加熱して排水を行い、すすぎ洗浄の効果を上げても何ら問題ない。
【００２４】
（実施例３）
以下、本発明の第３の実施例について図５を参照しながら説明する。なお、本実施例の全体構成については実施例１と同一であり同じ符号を付し説明を省略する。
【００２５】
電源プラグ２０は本給湯装置に電源を供給するものであり、商用電源が供給されると、開始時すすぎ手段２１に電源供給されたとの信号を送る。開始時すすぎ手段２１は電源供給開始の信号を受け取るとすすぎ洗浄手段１９に、すすぎ開始の信号を出力する。なお、すすぎ洗浄手段１９の動作については実施例１、実施例２と同じであり説明を省略する。
【００２６】
以上のように本実施例によれば、開始時すすぎ手段２１を設けることにより、電源投入時に自動的にすすぎ洗浄が始まるので、加熱容器８内に古くなった水が残っていたとしても、間違って使用することもなく、加熱容器８内のすすぎ洗浄もでき、より衛生的で使い勝手の良い給湯装置を提供することができる。
【００２７】
（実施例４）
以下、本発明の第４の実施例について図６を参照しながら説明する。なお、本実施例の全体構成については実施例１と同一であり同じ符号を付し説明を省略する。
【００２８】
すすぎ停止手段２２は、サーミスタ１０と接続して電源プラグ２０が商用電源に接続されたときの加熱容器８内の水温を判断する。もし水温が８０度以上なら開始時すすぎ手段２１に停止信号を出力する。開始時すすぎ手段２１は、すすぎ停止手段２２から停止信号を受け取ると電源投入時でも、すすぎ洗浄手段１９にすすぎ開始の信号を出力しない。
【００２９】
以上のように本実施例によれば、すすぎ停止手段２２を設けることにより、電源投入時に水温が高いことで、すすぎ停止手段２２は加熱容器８内の水が高温で衛生的にも心配ない場合には、すすぎ洗浄手段１９を動作させないので、余分な電力を消費することもなく衛生的な給湯装置を提供することができる。
【００３０】
（実施例５）
以下、本発明の第５の実施例について図７を参照しながら説明する。なお、本実施例の全体構成については実施例１と同一であり同じ符号を付し説明を省略する。
【００３１】
無給水すすぎ手段２３は、給水弁６と切替弁１４と接続し、最後に切替弁１４が加熱容器８側で、給水弁６が開いた状態、つまり加熱容器８への給水状態からの経過時間をカウントする。そしてカウント時間が例えば４８時間を経過すると、無給水すすぎ手段２３は加熱容器８内の水が４８時間更新されていないと判断して、すすぎ洗浄手段１９にすすぎ開始の信号を出力する。なお、すすぎ洗浄手段１９の動作については実施例１、実施例２と同じであり説明を省略する。
【００３２】
以上のように本実施例によれば、無給水すすぎ手段２３を設けることにより、長時間、加熱容器８内の水が更新されず、古くなると自動的にすすぎ洗浄手段１９によりすすぎ洗浄が始まるので、古くなった加熱容器８内の水を使ってしまうこともなく、手軽に加熱容器を清潔に保つことができる。
【００３３】
【発明の効果】
以上のように本発明によれば、加熱容器への注水から排水まで自動で行い複数回繰り返すすすぎ洗浄手段を備えることにより、使用者がすすぎ洗浄を行う際の、注水や排水の作業が自動化により省かれ、手軽にすすぎ洗浄を行うことができ、加熱容器を清潔に保つことができる使い勝手の良い給湯装置を提供することができる。
【図面の簡単な説明】
【図１】  本発明の第１の実施例における給湯装置の全体を示す断面図
【図２】  同給湯装置における操作表示部の平面図
【図３】  同給湯装置におけるすすぎ洗浄手段の動作図
【図４】  本発明の第２の実施例におけるすすぎ洗浄手段の動作図
【図５】  本発明の第３の実施例における給湯装置の全体を示す断面図
【図６】  本発明の第４の実施例における給湯装置の全体を示す断面図
【図７】  本発明の第５の実施例における給湯装置の全体を示す断面図
【符号の説明】
１  キッチンユニット
２  浄水加熱ユニット
３  水道管
４  水道口
５  浄水手段
６  給水弁
７  ヒーター
８  加熱容器
１６  ポンプ
１７  出湯パイプ
１９  すすぎ洗浄手段
２１  開始時すすぎ手段
２２  すすぎ停止手段
２３  無給水すすぎ手段
【図１】
0003757837.tif 000002
【図２】
0003757837.tif 000003
【図３】
0003757837.tif 000004
【図４】
0003757837.tif 000005
【図５】
0003757837.tif 000006
【図６】
0003757837.tif 000007
【図７】
0003757837.tif 000008